(57)【要約】      （修正有）【課題】道具のより迅速な設置を容易にする頑丈な改良クイックヒッチを提供する。【解決手段】機械への接続のための少なくとも一つの装着手段と、クイックヒッチを道具に固定するための固定手段８とを有する。クイックヒッチの着脱プレート２６ａ，２６ｂはショベルの上方リップの下面と接触状態にあるように配置され、第一端部５８ａを操作することにより第一突出部４８ａ、第二突出部４８ｂがショベルの下方リップと係合し、ショベルをクイックヒッチに係合する。【選択図】図２
2017075524.tif 000002
【特許請求の範囲】
【請求項１】
道具を機械に装着するためのクイックヒッチであって、機械への接続のための少なくとも一つの装着手段と、クイックヒッチを道具に固定するための固定手段とを含むクイックヒッチであり、道具の表面との係合のための少なくとも一つの着脱プレートをさらに含むクイックヒッチ。
【請求項２】
前記少なくとも一つの着脱プレートがクイックヒッチの上面に装着される、請求項１に記載のクイックヒッチ。
【請求項３】
前記少なくとも一つの着脱可能プレートが少なくとも一つの締結手段によりクイックヒッチの上面に装着される、請求項２に記載のクイックヒッチ。
【請求項４】
前記少なくとも一つの締結手段がボルトである、請求項３に記載のクイックヒッチ。
【請求項５】
前記少なくとも一つの着脱プレートが長さを有してクイックヒッチが長さを有し、前記着脱プレートの長さとクイックヒッチの長さの比が１対３より小さい、請求項１から４のいずれかに記載のクイックヒッチ。
【請求項６】
前記少なくとも一つの着脱プレートの長さとクイックヒッチの長さの比が１対６より大きい、請求項５に記載のクイックヒッチ。
【請求項７】
前記少なくとも一つの着脱プレートが道具のリップの下に嵌着するように構成されている、請求項１から６のいずれかに記載のクイックヒッチ。
【請求項８】
前記少なくとも一つの着脱プレートが、使用時に道具のリップに係合する表面を有する、請求項１から７のいずれかに記載のクイックヒッチ。
【請求項９】
前記少なくとも一つの着脱プレートの前記表面が傾斜している、請求項８に記載のクイックヒッチ。
【請求項１０】
前記少なくとも一つの着脱プレートが金属材料を含む、請求項１から９のいずれかに記載のクイックヒッチ。
【請求項１１】
前記少なくとも一つの着脱プレートが鋼を含む、請求項１０に記載のクイックヒッチ。
【請求項１２】
道具の表面との係合のための少なくとも二つの着脱プレートを含む、請求項１から１１のいずれかに記載のクイックヒッチ。
【請求項１３】
道具を機械に装着するためのクイックヒッチであって、筐体を含むクイックヒッチであり、前記筐体が機械への接続のための少なくとも一つの装着手段を含み、前記筐体がクイックヒッチを道具に固定するための固定手段を格納し、前記固定手段が、クイックヒッチが道具に固定されている第１位置と、クイックヒッチが道具に固定されていない第２位置とを有し、前記筐体がさらに、前記固定手段が前記第１位置にある時に前記固定手段の一部分が延在する第１孔を含む、クイックヒッチ。
【請求項１４】
前記固定手段が指示手段を含み、前記指示手段が、前記固定手段が前記第１位置にある時にクイックヒッチが道具に固定されたことを指示するための第１位置と、前記固定手段が前記第２位置にある時にクイックヒッチが道具に固定されていないことを指示するための第２位置とを有し、前記筐体がさらに、前記指示手段の一部分が延在する開口部を含む、請求項１３に記載のクイックヒッチ。
【請求項１５】
前記指示手段が前記第１位置および／または前記第２位置にある時に前記指示手段の前記部分が前記開口部に延在する、請求項１４に記載のクイックヒッチ。
【請求項１６】
前記固定手段がアクチュエータを含む、請求項１３、請求項１４、または請求項１５に記載のクイックヒッチ。
【請求項１７】
前記指示手段が前記アクチュエータに接続されている、請求項１６に記載のクイックヒッチ。
【請求項１８】
前記アクチュエータが手動アクチュエータである、請求項１６または請求項１７に記載のクイックヒッチ。
【請求項１９】
前記手動アクチュエータがシングルハンドルを含む、請求項１８に記載のクイックヒッチ。
【請求項２０】
前記アクチュエータが電動アクチュエータである、請求項１６または請求項１７に記載のクイックヒッチ。
【請求項２１】
前記筐体への泥や瓦礫の侵入を防止するためのカバーを前記開口部が含み、前記指示手段の前記部分が前記開口部に延在する、請求項１４から２０のいずれかに記載のクイックヒッチ。
【請求項２２】
前記カバーが複数のブリスルを含む、請求項２１に記載のクイックヒッチ。
【請求項２３】
前記カバーが少なくとも一つのブラシを含む、請求項２１または請求項２２に記載のクイックヒッチ。
【請求項２４】
前記少なくとも一つの装着手段が前記筐体の外面に設けられる、請求項１３から２３のいずれかに記載のクイックヒッチ。
【請求項２５】
前記少なくとも一つの装着手段が耳部である、請求項１３から２４のいずれかに記載のクイックヒッチ。
【請求項２６】
前記筐体が、前記固定手段が前記第１位置にある時に前記固定手段の第２部分が延在する第２孔を含む、請求項１３から２５のいずれかに記載のクイックヒッチ。
【請求項２７】
前記筐体が、道具の表面との係合のための少なくとも一つの着脱プレートを含む、請求項１３から２６のいずれかに記載のクイックヒッチ。
【請求項２８】
前記少なくとも一つの着脱プレートが、請求項１から１２のいずれかに規定された着脱プレートである、請求項２７に記載のクイックヒッチ。
【請求項２９】
実質的には、明細書に、および／または添付図面を参照して記載されたクイックヒッチ。
【発明の詳細な説明】
【技術分野】
【０００１】
本発明は、クイックヒッチに、詳しく記すと、機械、例えば作業機械または建設機械に道具を装着するためのクイックヒッチに関する。
【背景技術】
【０００２】
クイックカプラとしても知られるクイックヒッチは、掘削機、バックホウロウダ、およびテレスコピックハンドラのような作業機械に設置されて、機械へのアタッチメントまたは道具、例えば作業工具やバケツの接続を容易にする。
【０００３】
周知のクイックヒッチは、使用中に発生する摩耗や損傷によりその寿命が制限されるという短所を備えている。
【０００４】
周知のクイックヒッチの別の短所は、機械へのアタッチメントまたは道具のより迅速な設置を容易にする一方で、アタッチメントまたは道具とクイックヒッチとの間の接続が従来の装着よりも頑丈ではないということである。
【０００５】
周知のクイックヒッチのまた別の短所は、道具がクイックヒッチに係止されたかどうかが機械のオペレータに即座に明示されないことである。
【発明の概要】
【発明が解決しようとする課題】
【０００６】
そのため、道具を機械に装着するための改良クイックヒッチを提供することが、本発明の目的である。
【課題を解決するための手段】
【０００７】
本発明の第一の態様によれば、道具を機械に装着するためのクイックヒッチが設けられ、クイックヒッチは、機械への接続のための少なくとも一つの装着手段と、クイックヒッチを道具に固定するための固定手段とを含み、クイックヒッチはさらに、道具の表面との係合のための少なくとも一つの着脱プレートを含む。
【０００８】
少なくとも一つの着脱プレートは、道具と係合して使用時に表面が摩耗した場合／時に交換が可能である表面を提供するので、クイックヒッチの寿命を延長し、有利である。
【０００９】
少なくとも一つの着脱プレートは、クイックヒッチの上面に装着されうる。少なくとも一つの着脱プレートは、少なくとも一つの締結手段、例えばボルトによりクイックヒッチの上面に装着されうる。
【００１０】
少なくとも一つの着脱プレートが長さを有してクイックヒッチが長さを有し、着脱プレートの長さとクイックヒッチの長さとの比は１対３より小さい。着脱プレートの長さとクイックヒッチの長さとの比は１対６より大きい。
【００１１】
少なくとも一つの着脱プレートは、道具のリップの下に嵌着するように構成されうる。
【００１２】
少なくとも一つの着脱プレートは、使用時に道具のリップと係合する表面を有する。少なくとも一つの着脱プレートの表面は傾斜している。
【００１３】
少なくとも一つの着脱プレートは金属材料を含みうる。少なくとも一つの着脱プレートは鋼を含みうる。
【００１４】
クイックヒッチは、道具の表面との係合のための少なくとも二つの着脱プレートを含みうる。
【００１５】
クイックヒッチは筐体を含みうる。筐体は、本発明の第二態様と関連して説明されるような筐体でありうる。
【００１６】
クイックヒッチは、オーバセンタ機構を含みうる。オーバセンタ機構は、本発明の第三態様と関連して説明されるようなオーバセンタ機構でありうる。
【００１７】
クイックヒッチは弾性リンクを含みうる。弾性リンクは、本発明の第四態様と関連して説明されるような弾性リンクでありうる。
【００１８】
本発明の第二態様によれば、道具を機械に装着するためのクイックヒッチが設けられ、クイックヒッチは筐体を含み、筐体は、機械への接続のための少なくとも一つの装着手段を含み、筐体は、クイックヒッチを道具に固定するための固定手段を格納し、固定手段は、クイックヒッチが道具に固定されている第１位置と、クイックヒッチが道具に固定されていない第２位置とを有し、筐体がさらに、固定手段が第１位置にある時に固定手段の一部分が延在する第１孔を含む。
【００１９】
筐体は、使用時にクイックヒッチ機構に泥と瓦礫が集積するのを防止するので、クイックヒッチの寿命を延長し、有利である。
【００２０】
固定手段は指示手段を含み、指示手段は、固定手段が第１位置にある時にクイックヒッチが道具に固定されていることを指示するための第１位置と、固定手段が第２位置にある時にクイックヒッチが道具に固定されていないことを指示するための第２位置とを有し、筐体はさらに、指示手段の一部分が延在する開口部を含む。
【００２１】
指示手段が第１位置および／または第２位置にある時には、指示手段の一部分が開口部に延在する。
【００２２】
固定手段がアクチュエータを含みうる、および／または、指示手段がアクチュエータに接続されうる。
【００２３】
アクチュエータは手動アクチュエータでありうる。手動アクチュエータはシングルハンドルを含みうる。
【００２４】
アクチュエータは電動アクチュエータでありうる。
【００２５】
開口部は筐体への泥や瓦礫の侵入を防止するためのカバーを含み、指示手段の一部分が開口部に延在する。カバーは複数のブリスルを含みうる。カバーは少なくとも一つのブラシを含みうる。
【００２６】
少なくとも一つの装着手段が筐体の外面に設けられうる。少なくとも一つの装着手段は耳部でありうる。
【００２７】
筐体は、固定手段が第１位置にある時に固定手段の第２部分が延在する第２孔を含みうる。
【００２８】
筐体は、道具の表面との係合のための少なくとも一つの着脱プレートを含みうる。少なくとも一つの着脱プレートは、本発明の第一態様と関連して説明されるような着脱プレートでありうる。
【００２９】
クイックヒッチはオーバセンタ機構を含みうる。オーバセンタ機構は、本発明の第三態様と関連して説明されるようなオーバセンタ機構でありうる。
【００３０】
クイックヒッチは弾性リンクを含みうる。弾性リンクは、本発明の第四態様と関連して説明されるような弾性リンクでありうる。
【００３１】
本発明の第三態様によれば、道具を機械に装着するためのクイックヒッチが設けられ、クイックヒッチは、機械への接続のための少なくとも一つの装着手段と、クイックヒッチを道具に固定するための固定手段とを含み、固定手段は、オーバセンタ機構と係止部材とを含み、オーバセンタ機構は第１リンクと第１旋回部材とを含み、第１旋回部材はクイックヒッチのシャシに対して第１軸線Ｄ上で旋回し、第１リンクの第１端部は第１旋回部材の第１アームに対して第２軸線Ｅ上で旋回し、第１リンクの第２端部は係止部材に対して第３軸線Ｆ上で旋回するため、クイックヒッチが道具に固定されている第１位置に固定手段があると、軸線ＤとＦの間に引かれた直線の第１側に軸線Ｅが位置し、クイックヒッチが道具に固定されていない第２位置に固定手段があると、軸線ＤとＦの間に引かれた直線の第２側に軸線Ｅが位置する。
【００３２】
オーバセンタ機構は、固定手段が第１位置にある時に係止部材が定位置に保持されることを保証するので、道具またはアタッチメントとクイックヒッチとの間の接続の頑強性を高め、有利である。
【００３３】
係止部材は、固定手段が第１位置にある時に道具と係合するための突出部を含みうる。
【００３４】
クイックヒッチは第１ピンを含み、第１旋回部材は第２アームを含むため、固定手段が第１位置にあると第２アームは第１ピンとの当接状態にあり、固定手段が第２位置にあると第２アームが第１ピンから離間している。
【００３５】
クイックヒッチはさらに第２旋回部材を含んで、固定手段は第２リンクを含み、第２旋回部材の第１端部はクイックヒッチのシャシに対して第４軸線Ａ上で旋回し、第２リンクの第１端部は第２旋回部材に対して第５軸線Ｂ上で旋回し、第２リンクの第２端部は第１旋回部材に対して第６軸線Ｃ上で旋回するため、固定手段が第１位置にあると、軸線Ｂは軸線ＡとＣの間に引かれた直線の第１側に位置し、固定手段が第２位置にあると、軸線Ｂは軸線ＡとＣの間に引かれた直線の第２側に位置している。
【００３６】
第２旋回部材の第２端部は、第１位置から第２位置へ固定手段を移動させるためのアクチュエータでありうる。アクチュエータは手動アクチュエータでありうる。アクチュエータはシングルハンドルを含みうる。
【００３７】
第２旋回部材の第２端部は指示手段を含み、指示手段は、固定手段が第１位置にある時にクイックヒッチが道具に固定されていることを指示するための第１位置と、固定手段が第２位置にある時にクイックヒッチが道具に固定されていないことを指示するための第２位置とを有する。
【００３８】
第１リンクおよび／または第２リンクは、弾性リンクでありうる。
【００３９】
固定手段は、アクチュエータの操作が固定手段を第１位置から第２位置へ移動させるように第１旋回部材に動作接続されているアクチュエータを含みうる。
【００４０】
アクチュエータはスクリュアクチュエータでありうる。アクチュエータは電動アクチュエータでありうる。
【００４１】
クイックヒッチは第２ピンを含んで第１旋回部材は脚部を含むため、固定手段が第１位置にあると、脚部は第２ピンと当接し、固定手段が第２位置にあると、脚部は第２ピンから離間している。
【００４２】
脚部は指示手段を含み、指示手段は、固定手段が第１位置にある時にクイックヒッチが道具に固定されていることを指示するための第１位置と、固定手段が第２位置にある時にクイックヒッチが道具に固定されていないことを指示するための第２位置とを有する。
【００４３】
第１リンクは弾性リンクでありうる。
【００４４】
固定手段のオーバセンタ機構は第１オーバセンタ機構であり、係止部材は第１係止部材であり、第１リンクは第１第１リンクであり、第１旋回部材は第１第１旋回部材であり、第１軸線Ｄは第１第１軸線であり、第２軸線Ｅは第１第２軸線であり、第１第１旋回部材の第１アームは第１第１アームであり、第３軸線Ｆは第１第３軸線であって、固定手段はさらに、第２オーバセンタ機構と第２係止部材とを含み、第２オーバセンタ機構は第２第１リンクと第２第１旋回部材とを含み、第２第１旋回部材はクイックヒッチのシャシに対して第２第１軸線Ｄ’上で旋回し、第２第１リンクの第１端部は第２第１旋回部材の第２第１アームに対して第２第２軸線Ｅ’上で旋回し、第２第１リンクの第２端部は第２係止部材に対して第２第３軸線Ｆ’上で旋回するため、クイックヒッチが道具に固定されている第１位置に固定手段があると、軸線Ｅ’は軸線Ｄ’とＦ’との間に引かれた直線の第１側に位置し、クイックヒッチが道具に固定されていない第２位置に固定手段があると、軸線Ｅ’は軸線Ｄ’とＦ’との間に引かれた直線の第２側に位置する。
【００４５】
クイックヒッチはさらに、道具の表面との係合のため少なくとも一つの着脱プレートを含みうる。少なくとも一つの着脱プレートは、本発明の第一態様と関連して説明されるような着脱プレートでありうる。
【００４６】
クイックヒッチはさらに筐体を含みうる。筐体は、本発明の第二態様と関連して説明されるような筐体でありうる。
【００４７】
弾性リンクは、本発明の第四態様と関連して説明されるような弾性リンクでありうる。
【００４８】
本発明の第四態様によれば、道具を機械に装着するためのクイックヒッチが設けられ、クイックヒッチは、機械への接続のための少なくとも一つの装着手段と、クイックヒッチを道具に固定するための固定手段とを含み、固定手段は、係止部材と第２旋回部材とを含み、係止部材と第２旋回部材とは弾性リンクにより接続され、固定手段は、クイックヒッチが道具に固定されている第１位置と、クイックヒッチが道具に固定されていない第２位置とを有して、固定手段が第１位置にある時に、弾性リンクは、第１位置と第２位置との間にある第３位置への固定手段の移動を可能にする。
【００４９】
弾性リンクは、係止部材との確実な係合を保証するとともにクイックヒッチを圧縮状態に維持して、道具をクイックヒッチから外すことになる緩みやがたつきが係止部材に生じるのを防止するので、道具またはアタッチメントとクイックヒッチとの間の接続の頑強性を高め、有利である。
【００５０】
係止部材は、固定手段が第１位置にある時の第１位置と、固定手段が第３位置にある時の第２位置とを有し、係止部材の第１および第２位置は軸方向距離により分離されうる。
【００５１】
軸方向距離は２０ミリメートルより小さく、好ましくは１６ミリメートルより小さい。軸方向距離は、１０ミリメートルより大きく、好ましくは１２ミリメートルより大きい。
【００５２】
固定手段は、第１リンクと第１旋回部材と第２リンクとを含み、第１旋回部材はクイックヒッチのシャシに対して第１軸線Ｄ上で旋回し、第１リンクの第１端部は第１旋回部材の第１アームに対して第２軸線Ｅ上で旋回し、第１リンクの第２端部は係止部材に対して第３軸線Ｆ上で旋回し、第２旋回部材の第１端部はクイックヒッチのシャシに対して第４軸線Ａ上で旋回し、第２リンクの第１端部は第２旋回部材に対して第５軸線Ｂ上で旋回し、第２リンクの第２端部は第１旋回部材に対して第６軸線Ｃ上で旋回する。
【００５３】
第１リンク、第１旋回部材、第２リンク、および／または第２旋回部材のうち一つ以上は、弾性リンクでありうる。第１リンクは弾性リンクでありうる。
【００５４】
クイックヒッチは第１ピンを含み、第１旋回部材は第２アームを含むため、固定手段が第１位置にあると第２アームは第１ピンとの当接状態にあり、固定手段が第２位置にあると第２アームは第１ピンから離間している。
【００５５】
第２旋回部材は指示手段を含み、指示手段は、固定手段が第１位置にある時にクイックヒッチが道具に固定されていることを指示するための第１位置と、固定手段が第２位置にある時にクイックヒッチが道具に固定されていないことを指示するための第２位置とを有しうる。
【００５６】
係止部材は、弾性リンクに旋回式に接続されうる。
【００５７】
第２旋回部材は手動アクチュエータでありうる。手動アクチュエータはシングルハンドルを含みうる。
【００５８】
固定手段は電動アクチュエータを含みうる。アクチュエータの操作により固定手段が第１位置から第２位置へ移動するように、電動アクチュエータは第２旋回部材に動作接続されている。
【００５９】
クイックヒッチは第２ピンを含み、第２旋回部材は脚部を含むため、固定手段が第１位置にあると脚部は第２ピンとの当接状態にあり、固定手段が第２位置にあると脚部は第２ピンから離間している。
【００６０】
脚部は指示手段を含み、指示手段は、固定手段が第１位置にある時にクイックヒッチが道具に固定されていることを指示するための第１位置と、固定手段が第２位置にある時にクイックヒッチが道具に固定されていないことを指示するための第２位置とを有する。
【００６１】
係止部材は第１係止部材であり、第２旋回部材は第１第２旋回部材であり、弾性リンクは第１弾性リンクであって、固定手段はさらに、第２係止部材と第２第２旋回部材とを含み、第２係止部材と第２第２旋回部材とは第２弾性リンクにより接続され、固定手段が第１位置にある時に、第２弾性リンクは、第１位置と第２位置との間にある第３位置への固定手段の移動を可能にする。
【００６２】
クイックヒッチは、道具の表面との係合のための少なくとも一つの着脱プレートを含みうる。少なくとも一つの着脱プレートは、本発明の第一態様と関連して説明されるような着脱プレートでありうる。
【００６３】
クイックヒッチは筐体を含みうる。筐体は、本発明の第二態様と関連して説明されるような筐体でありうる。
【００６４】
クイックヒッチはオーバセンタ機構を含みうる。オーバセンタ機構は、本発明の第三態様と関連して説明されるようなオーバセンタ機構でありうる。
【００６５】
添付の図を参照して、本発明の実施形態がこれから説明される。
【図面の簡単な説明】
【００６６】
【図１】本発明の第一実施形態によるクイックヒッチの非係止位置での等角背面図である。
【図２】非係止位置での図１のクイックヒッチの背面図である。
【図３】ショベルに接続された図１および２のクイックヒッチの等角背面図であり、クイックヒッチは非係止位置にある。
【図４】ショベルに接続された図１，２，３のクイックヒッチの側面図であり、クイックヒッチは非係止位置にある。
【図５】係止位置での図１から４のクイックヒッチの等角背面図である。
【図６】係止位置での図１から４のクイックヒッチの背面図である。
【図７】ショベルに接続された図１から４のクイックヒッチの等角背面図であり、クイックヒッチは係止位置にある。
【図８】ショベルに接続された図１から４のクイックヒッチの側面図であり、クイックヒッチは係止位置にある。
【図９】本発明の第二実施形態によるクイックヒッチの非係止位置での等角背面図である。
【図１０】非係止位置での図９のクイックヒッチの正面図である。
【図１１】ショベルに接続された図９および１０のクイックヒッチの等角背面図であり、クイックヒッチは非係止位置にある。
【図１２】ショベルに接続された図９，１０，１１のクイックヒッチの側面図であり、クイックヒッチは非係止位置にある。
【図１３】係止位置での図９から１２のクイックヒッチの等角背面図である。
【図１４】係止位置での図９から１２のクイックヒッチの正面図である。
【図１５】ショベルに接続された図９から１２のクイックヒッチの等角背面図であり、クイックヒッチは係止位置にある。
【図１６】ショベルに接続された図９から１２のクイックヒッチの側面図であり、クイックヒッチは係止位置にある。
【図１７】図１から４のクイックヒッチの背面図であり、係止部材は完全係合位置にある。
【図１８】図１から４のクイックヒッチの背面図であり、係止部材は部分係合位置にある。
【図１９】アクチュエータを備える図９から１２のクイックヒッチの固定手段の背面図である。
【図２０】アクチュエータを備えていない図１９の固定手段の背面図である。
【図２１】非係止位置での図１から４のクイックヒッチの第１オーバセンタ機構の背面図である。
【図２２】係止位置での図１から４のクイックヒッチの第１オーバセンタ機構の背面図である。
【図２３】非係止位置での図９から１２のクイックヒッチの第１オーバセンタ機構の正面図である。
【図２４】係止位置での図９から１２のクイックヒッチの第１オーバセンタ機構の正面図である。
【発明を実施するための形態】
【００６７】
さて、図１〜８，１７，１８，２１，２２を参照すると、本発明の第一実施形態によるクイックヒッチ２が示されている。
【００６８】
図１〜４と２１は非係止位置でのクイックヒッチ２を示し、図５〜８，１７，１８，２２は、係止位置でのクイックヒッチ２を示す。
【００６９】
クイックヒッチ２は、本体４と、クイックヒッチ２を機械に装着するための装着手段６ａ，６ｂ，６ｃと、道具をクイックヒッチ２に固定するための固定手段８とを有する。
【００７０】
クイックヒッチ２は、第１ピン４９ａと第２ピン４９ｂと旋回軸１３８，１４０，１４２，１４４，１４６とを含む。軸線Ｇを有する第１ピン４９ａと第２ピン４９ｂと旋回軸１３８、軸線Ｄを有する旋回軸１４０、軸線Ｃを有する旋回軸１４２、軸線Ｄ’を有する旋回軸１４４、そして軸線Ｇ’を有する旋回軸１４６の各々は、クイックヒッチ２のシャシに装着されている。
【００７１】
本体４は、側壁１０，１２と底部１４と上面１６と前壁３０と後壁３２とを有する。
【００７２】
底部１４は、一対の孔２８ａ，２８ｂを有する。
【００７３】
上面１６は開口部２０とプレート２２とを有する。プレート２２は、上面１６の開口部２０に対応する開口部２４を有する。プレート２２は、開口部２４の中にブラシ（不図示）を有する。
【００７４】
前壁３０は概ねＵ字形状である。
【００７５】
後壁３２は、一対のアクセスドア３４ａ，３４ｂを含む。装着手段６ａ，６ｂ，６ｃは後壁３２に装着され、支持ピン（不図示）を収容するための孔９ａ，９ｂ，９ｃを備える耳部７ａ，７ｂ，７ｃを有する。後壁３２は、一対の上向き延在アーム１８ａ，１８ｂも含む。上向き延在アーム１８ａ，１８ｂは、これに装着されている着脱プレート２６ａ，２６ｂを有する。
【００７６】
本体の側壁１０，１２と底部１４と上面１６と前壁３０と後壁３２とは、固定手段８のための筐体またはケーシングとなる。
【００７７】
固定手段８は、第１オーバセンタ機構３６ａと第１係止部材３８ａとを含む。第１オーバセンタ機構３６ａは、第１リンク４０ａと第１旋回部材４２ａとを含む。
【００７８】
第１リンク４０ａは、第１端部５０ａと第２端部５０ｂとを有する。第１端部５０ａは、軸線Ｆを有する旋回軸１４８を有する。図１７および１８に示されているように、第１リンク４０ａは弾性リンクであり、中空円筒体１６６とピストン部材１６８とバネ１７０とを有する。
【００７９】
第１旋回部材４２ａは、第１アーム５２と第２アーム５４と第３アーム５５とを含む。第１アーム５２は、軸線Ｅを有する旋回軸１５０を有する。
【００８０】
第１係止部材３８ａは第１突出部４８ａを含む。
【００８１】
固定手段８は、第２オーバセンタ機構３６ｂと第２係止部材３８ｂとを含む。第２オーバセンタ機構３６ｂは、第２第１リンク４０ｂと第２第１旋回部材４２ｂとを含む。
【００８２】
第２第１リンク４０ｂは、第１端部６２ａと第２端部６２ｂとを有する。第１端部６２ａは、軸線Ｆ’を有する旋回軸１５６を有する。第１リンク４０ａと同様に、第２第１リンク４０ｂは弾性リンクであり、中空円筒体１７２とピストン部材１７４とバネ（不図示）とを有する。
【００８３】
第２第１旋回部材４２ｂは、第１アーム６４と第２アーム６６と第３アーム６７とを含む。第１アーム６４は、軸線Ｅ’を有する旋回軸１５８を有する。
【００８４】
第２係止部材３８ｂは第２突出部４８ｂを含む。
【００８５】
固定手段８はさらに、第２リンク４４ａと第２第２リンク４４ｂとを含みうる。
【００８６】
第２リンク４４ａは、第１端部５６ａと第２端部５６ｂとを有する。第１端部５６ａは、軸線Ａを有する旋回軸１５２を有する。第２端部５６ｂは、軸線Ｂを有する旋回軸１５４を有する。
【００８７】
第２第２リンク４４ｂは、第１端部６８ａと第２端部６８ｂとを有する。第１端部６８ａは、軸線Ａ’を有する旋回軸１６０を有する。第２端部６８ｂは、軸線Ｂ’を有する旋回軸１６２を有する。
【００８８】
固定手段８はさらに第２旋回手段４６を含む。第２旋回部材４６は、第１端部５８ａと第２端部５８ｂとプレート６９とを有する。
【００８９】
プレート６９は、第１端部６５ａと第２端部６５ｂとを有する。プレート６９は、３個の穴１６４ａ，１６４ｂ，１６４ｃも有する。穴１６４ａはプレート６９の第１端部６５ａに隣接して設置され、穴１６４ｃはプレート６９の第２端部６５ｂに隣接して設置され、穴１６４ｂはプレート６９の長さに沿って穴１６４ａ，１６４ｃの間に設置されている。
【００９０】
第一実施形態によるクイックヒッチ２の固定手段８の組立について、これから説明する。
【００９１】
第１オーバセンタ機構３６ａは、以下のように組み立てられる。
【００９２】
第１旋回部材４２ａが軸線Ｄを中心としてクイックヒッチ２のシャシに対して旋回できるように、第１旋回部材４２ａは旋回軸１４０に旋回可能に装着されている。第１リンク４０ａと第１旋回部材４２ａとが軸線Ｅを中心として互いに旋回できるように、第１リンク４０ａの第２端部５０ｂは第１旋回部材４２ａの第１アーム５２に旋回可能に装着されている。第１リンク４０ａと第１係止部材３８ａとが軸線Ｆを中心として互いに旋回できるように、第１リンク４０ａの第１端部５０ａは第１係止部材３８ａに旋回可能に装着されている。第１係止部材３８ａが軸線Ｇを中心としてクイックヒッチ２のシャシに対して旋回できるように、第１係止部材３８ａは旋回軸１３８に旋回可能に装着されている。
【００９３】
第２オーバセンタ機構３６ｂは、以下のように組み立てられる。
【００９４】
第２第１旋回部材４２ｂが軸線Ｄ’を中心としてクイックヒッチのシャシに対して旋回できるように、第２第１旋回部材４２ｂは旋回軸１４４に旋回可能に装着されている。第２第１リンク４０ｂと第２第１旋回部材４２ｂとが軸線Ｅ’を中心として互いに旋回できるように、第２第１リンク４０ｂの第２端部６２ｂは旋回軸１５８上で第２第１旋回部材４２ｂの第１アーム６４に旋回可能に装着されている。第２第１リンク４０ｂと第２係止部材３８ｂとが軸線Ｆ’を中心として互いに旋回できるように、第２第１リンク４０ｂの第１端部６２ａは旋回軸１５６上で第２係止部材３８ｂに旋回可能に装着されている。第２係止部材３８ｂが軸線Ｇ’を中心としてクイックヒッチ２のシャシに対して旋回できるように、第２係止部材３８ｂは旋回軸１４６に旋回可能に装着されている。
【００９５】
第２旋回部材４６とプレート６９とが軸線Ｃを中心に回転できるように、第２旋回部材４６の第２端部５８ｂとプレート６９の中央穴１６４ｂとは旋回軸１４２上に装着されている。
【００９６】
第１オーバセンタ機構３６ａは、第２リンク４４ａにより第２旋回部材４６とプレート６９とに連結されている。第１旋回部材４２ａと第２リンク４４ａとが軸線Ａを中心として互いに旋回できるように、第１旋回部材４２ａの第３アーム５５は第２リンク４４ａの第１端部５６ａに旋回式に装着されている。第２リンク４４ａの第２端部５６ｂが軸線Ｃを中心として旋回できるように、第２リンク４４ａの第２端部５６ｂは旋回軸１５４上でプレート６９の第１端部６５ａの穴１６４ａに装着されている。
【００９７】
第２オーバセンタ機構３６ｂは、第２第２リンク４４ｂにより第２旋回部材４６に連結されている。第２第１旋回部材４２ｂと第２第２リンク４４ｂとが軸線Ａ’を中心として互いに旋回できるように、第２第１旋回部材４２ｂの第３アーム６７は第２第２リンク４４ｂの第１端部６８ａに旋回式に装着されている。第２第２リンク４４ｂが軸線Ｃを中心として旋回できるように、第２第２リンク４４ｂの第２端部６８ｂは、旋回軸１６２上でプレート６９の第２端部６５ｂの穴１６４ｃに装着されている。
【００９８】
前壁３０と側壁１０，１２と底部１４と上面１６とを組み立てることにより、本体４が部分的に構築される。
【００９９】
第２旋回部材４６の第１端部６８ａが上面１６の開口部２０に延在するように、部分的に構築された本体４に固定手段８が載置され、第１係止部材３８ａの第１突出部４８ａが底部１４の孔２８ａに隣接して配置され、第２係止部材３８ｂの第２突出部４８ｂが底部１４の孔２８ｂに隣接して配置されている。
【０１００】
それから後壁３０が側壁１０，１２と底部１４と上面１６とに装着されて、本体４が完成する。
【０１０１】
プレート２２の開口部２４が上面１６の開口部２０に対応して、第２旋回部材４６の第１端部６８ａが上面１６の開口部２０とブラシ（不図示）とプレート２２の開口部２４とに延在するように、プレート２２は締結具６０を使用して本体４の上面１６に装着される。
【０１０２】
着脱プレート２６ａは、締結具２７を使用して上方アーム１８ａに装着されている。同じように、着脱プレート２６ｂは締結具２７を使用して上方アーム１８ｂに装着されている。
【０１０３】
図３，４，７，８に示されているように、道具、例えばショベル１８０を機械（不図示）に装着するためのクイックヒッチ２の使用について、これから説明する。
【０１０４】
クイックヒッチ２は、クイックヒッチ２の後壁３２が機械（不図示）の正面に対向する状態で機械（不図示）に固定されている。装着手段６ａ，６ｂ，６ｃは、ピン（不図示）により機械（不図示）の相補的装着手段（不図示）に固定されている。
【０１０５】
ショベル１８０は、底部１８２と側壁１８４ａ，１８４ｂと後壁１８６とを有する。後壁１８６は、下方リップ１８８と上方リップ１９０と外面１９２とを有する。上方リップ１９０は下面１８９を有する。
【０１０６】
クイックヒッチの前壁３０がショベル１８０の後壁１８６の外面１９２に隣接するように、（図１から４に示されているように）非係止位置のクイックヒッチ２を備える機械とショベル１８０とが、近接近される。着脱プレート２６ａ，２６ｂが上方リップ１９０の下面１８９との接触状態にあるように、上方アーム１８ａ，１８ｂは上方リップ１９０の下に配置されている。孔２８ａ，２８ｂが下方リップ１８８に隣接するように、クイックヒッチの底部１４は下方リップ１８８と並置されている。
【０１０７】
ショベル１８０をクイックヒッチ２に係止するため、手動アクチュエータまたはハンドルとして作用する第２旋回部材４６の第１端部５８ａは、図１および２に示された位置から図５および６に示された位置まで動かされる。第１端部５８ａは、クイックヒッチ機構を作動させる、つまり、係合または解離させるためのシングルレバーまたはハンドルとなるので、有利である。
【０１０８】
こうして、第２旋回部材４６の第２端部５８ｂと第２リンク４４ａの第２端部５６ｂと第２第２リンク４４ｂの第２端部６８ｂとは、軸線Ｃを中心として半時計方向に旋回される。
【０１０９】
旋回軸Ｃを中心とする第２リンク４４ａの第２端部５６ｂの旋回移動は、第２リンク４４ａの第１端部５６ａと第１旋回部材４２ａの第３アーム５５とを軸線Ａに対して時計方向に旋回させ、第１旋回部材４２ａの第２アーム５４を軸線Ｄに対して時計方向に旋回させ、第１旋回部材４２ａの第１アーム５２を軸線Ｅに対して時計方向に旋回させる。
【０１１０】
第１旋回部材４２ａの第２アーム５４が進む距離は、固定手段８が係止位置にある時に第２アーム５４が当接するピン４９ａにより制限される。
【０１１１】
第１旋回部材４２ａの旋回移動は、第１リンク４０ａの第２端部５０ｂを軸線Ｅに対して半時計方向に旋回させるとともに、第１リンク４０ａの第１端部５０ａを軸線Ｆに対して反時計方向に旋回させる。
【０１１２】
第１リンク４０ａの旋回移動は、第１係止部材３８ａを軸線Ｆに対して反時計方向に旋回させて、第１突出部４８ａを下向きに移動させるとともに底部１４の孔２８ａに延在させる。
【０１１３】
第１突出部４８ａは、ショベル１８０の下方リップ１８８と係合してショベル１８０をクイックヒッチ２に係止する。
【０１１４】
固定手段８が係止位置にある時に、第１突出部４８ａの上向き移動は弾性リンク４０ａにより制約される。
【０１１５】
旋回軸Ｃを中心とする第２第２リンク４４ｂの第２端部６８ｂの旋回移動は、第２第２リンク４４ｂの第１端部６８ａと第２第１旋回部材４２ｂの第３アーム６７とを軸線Ａ’に対して反時計方向に、第２第１旋回部材４２ｂの第２アーム６６を軸線Ｄ’に対して反時計方向に、第２第１旋回部材４２ｂの第１アーム６４を軸線Ｅ’に対して反時計方向に旋回させる。
【０１１６】
第２第１旋回部材４２ｂの第２アーム６６が進む距離は、それが当接するピン４９ｂにより制限される。
【０１１７】
第２第１旋回部材４２ｂの旋回移動は、第２第１リンク４０ｂの第２端部６２ｂを軸線Ｅ’に対して反時計方向に、第２第１リンク４０ｂの第１端部６２ａを軸線Ｆ’に対して時計方向に旋回させる。
【０１１８】
第２第１リンク４０ｂの旋回移動は、第２係止部材３８ｂを軸線Ｆ’に対して時計方向に旋回させて、第２突出部４８ｂを下向きに移動させるとともに底部１４の孔２８ｂに延在させる。
【０１１９】
第２突出部４８ｂは、ショベル１８０の下方リップ１８８と係合してショベル１８０をクイックヒッチ２に係止する。
【０１２０】
固定手段８が係止位置にある時に、第２突出部４８ｂの上向き移動は弾性リンク４０ｂにより制約される。
【０１２１】
クイックヒッチ２が（図２１に示されているように）ショベル１８０に固定されている時に、第１オーバセンタ機構３６ａの軸線Ｅは、軸線ＤおよびＦの間に引かれた直線の第１側に位置し、クイックヒッチが（図２２に示されているように）ショベルに固定されていない時に、軸線Ｅは、軸線ＤおよびＦの間に引かれた直線の第２側に位置している。同じようにして（図には示されていないが）、クイックヒッチ２がショベル１８０に固定されている時に第２オーバセンタ機構３６ｂの軸線Ｅ’は、軸線Ｄ’およびＦ’の間に引かれた直線の第１側に位置し、クイックヒッチ２がショベル１８０に固定されていない時に、軸線Ｅ’は軸線Ｄ’およびＦ’の間に引かれた直線の第２側に位置している。
【０１２２】
このようにして、第１および第２突出部４８ａ，４８ｂは、係止位置にある時に第２旋回部材４６を押圧するのを妨げられる。
【０１２３】
弾性またはバネ付勢の第１リンク４０ａを固定手段の片側に、第２第１リンク４０ｂを固定手段８の第２側に含めると、第１および第２突出部４８ａ，４８ｂの確実な係合を保証し、固定手段８を圧縮状態に保って固定手段８のがたつきを防止し、その結果、第１および第２突出部４８ａ，４８ｂがショベル１８０の下方リップ１８８から解離することになる。
【０１２４】
バネ１７０を有する中空円筒体１６６に中実ピストンまたはプランジャ１６８を含めると、第２旋回部材４６と固定手段８とが係止位置にある時に第１および第２突出部４８ａ，４８ｂの上向き移動をわずか１５ミリメートルに制限する。これは、第２旋回部材４６と固定手段８とが係止位置にある時には常に、アタッチメントの係合を保証する。
【０１２５】
クイックヒッチ２が係止位置にある時の上面１６の開口部２０およびプレート２２の開口部２４における第２旋回手段４６の位置と比較した、クイックヒッチ２が非係止位置にある時の上面１６の開口部２０およびプレート２２の開口部２４における第２旋回手段４６の位置は、ショベル１８０がクイックヒッチ２に固定されているかどうかをオペレータに通知する。
【０１２６】
固定手段を包囲する本体４を設けると、泥や瓦礫により固定手段８に損傷が生じるのを防ぐ。プレートの開口部２４にブラシ（不図示）を設けると、さらに、クイックヒッチ２の本体４への泥や瓦礫の侵入を防ぐ。
【０１２７】
ショベル１８０の上方リップ１９０の下面１８９に係合する着脱プレート２６ａ，２７ｂをアーム部分１８ａ，１８ｂに設けると、摩耗して新品の未摩耗プレートと交換される時にプレート２６ａ，２６ｂがクイックヒッチ２から取り外される際にクイックヒッチの寿命を延長する。
【０１２８】
さて図９〜１６，１９，２０，２３，２４を参照すると、本発明の第二実施形態によるクイックヒッチ２０２が示されている。
【０１２９】
図９〜１２および２３は非係止位置でのクイックヒッチ２０２を示し、図１３〜１６および２４は係止位置でのクイックヒッチ２０２を示す。
【０１３０】
クイックヒッチ２０２は、本体４と、クイックヒッチ２０２を機械に装着するための装着手段６ａ，６ｂ，６ｃと、クイックヒッチ２に道具を固定するための固定手段２０８とを有する。
【０１３１】
クイックヒッチ２０２はまた、第１ピン４９ａと第２ピン４９ｂと第３ピン２４９ｃと旋回軸１３８，１４０，１４２，１４４，１４６も含む。軸線Ｇ’’を有する第１ピン４９ａと第２ピン４９ｂと旋回軸１３８と、軸線Ｄ’’を有する旋回軸１４０と、軸線Ｃ’’を有する旋回軸１４２と、軸線Ｄ’’’を有する旋回軸１４４と、軸線Ｇ’’’を有する旋回軸１４６とは、クイックヒッチ２０２のシャシに装着されている。
【０１３２】
本体４は、側壁１０，１２と底部１４と上面１６と前壁３０と後壁３２とを有する。
【０１３３】
底部１４は一対の孔２８ａ，２８ｂを有する。
【０１３４】
上面１６は、開口部２０とプレート２２とを有する。プレート２２は、上面１６の開口部２０に対応する開口部２４を有する。プレート２２は、開口部２４の中にブラシ（不図示）を有する。
【０１３５】
前壁３０は概ねＵ字形状である。
【０１３６】
後壁３２は、一対のアクセスドア３４ａ，３４ｂを含む。装着手段６ａ，６ｂ，６ｃは後壁３２に装着され、支持ピン（不図示）を収容するための孔９ａ，９ｂ，９ｃを備える耳部７ａ，７ｂ，７ｃを有する。後壁３２は、一対の上向き延在アーム１８ａ，１８ｂも含む。上向き延在アーム１８ａ，１８ｂは、これに装着される着脱プレート２６ａ，２６ｂを有する。
【０１３７】
本体の側壁１０，１２と底部１４と上面１６と前壁３０と後壁３２とは、固定手段２０８のための筐体またはケーシングとなる。
【０１３８】
固定手段２０８は、第１オーバセンタ機構２３６ａと第１係止部材２３８ａとを含む。第１オーバセンタ機構２３６ａは、第１リンク２４０ａと第１旋回部材２４２ａとを含む。
【０１３９】
第１リンク２４０ａは、第１端部２５０ａと第２端部２５０ｂとを有する。第１端部２５０ａは、軸線Ｆ’’を有する旋回軸３４８を有する。第１リンク２４０ａは弾性リンクであり、（第一実施形態の第１リンク４０ａについて図１７，１８に示されているように）中空円筒体１６６とピストン部材１６８とバネ１７０とを有する。
【０１４０】
図２０に示されているように、第１旋回部材２４２ａは第１アーム２５２と第２アーム２５４と第３アーム２５５と脚部２５３とを含む。第１アーム２５２は、軸線Ｅ’’を有する旋回軸３５０を有する。脚部２５３はフック部分２５３ａを有する。
【０１４１】
第１係止部材２３８ａは、第１突出部２４８ａを含む。
【０１４２】
固定手段２０８は、第２オーバセンタ機構２３６ｂと第２係止部材２３８ｂとを含む。第２オーバセンタ機構２３６ｂは、第２第１リンク２４０ｂと第２第１旋回部材２４２ｂとを含む。
【０１４３】
第２第１リンク２４０ｂは、第１端部２６２ａと第２端部２６２ｂとを有する。第１端部２６２ａは、軸線Ｆ’’’を有する旋回軸３５６を有する。第１リンク２４０ａと同様に、第２第１リンク２４０ｂは弾性リンクであり、中空円筒体３７２とピストン部材３７４とバネ（不図示）とを有する。
【０１４４】
第２第１旋回部材２４２ｂは、第１アーム２６４と第２アーム２６６と第３アーム２６７とを含む。第１アーム２６４は、軸線Ｅ’’’を有する旋回軸３５８を有する。
【０１４５】
第２係止部材２３８ｂは、第２突出部２４８ｂを含む。
【０１４６】
固定手段２０８はさらに、アクチュエータ３６０を含む。図１９により明白に示されているように、アクチュエータ３６０はスクリュアクチュエータ３６２とモータ３６４とを有する。スクリュアクチュエータ３６２は、第１端部３６６ａと第２端部３６６ｂとを有する。
【０１４７】
第二実施形態のクイックヒッチ２０２の固定手段２０８の組立について、これから説明する。
【０１４８】
第１オーバセンタ機構２３６ａは、以下のように組み立てられる。
【０１４９】
第１旋回部材２４２ａが軸線Ｄ’’を中心としてクイックヒッチ２０２のシャシに対して旋回できるように、第１旋回部材２４２ａは旋回軸３４０に旋回可能に装着されている。第１リンク２４０ａと第１旋回部材２４２ａとが軸線Ｅ’’を中心として互いに旋回できるように、第１リンク２４０ａの第２端部２５０ｂは第１旋回部材２４２ａの第１アーム２５２に旋回可能に装着されている。第１リンク２４０ａと第１係止部材２３８ａとが軸線Ｆ’’を中心として互いに旋回できるように、第１リンク２４０ａの第１端部２５０ａは第１係止部材２３８ａに旋回可能に装着されている。第１係止部材２３８ａが軸線Ｇ’’を中心としてクイックヒッチ２０２のシャシに対して旋回できるように、第１係止部材２３８ａは旋回軸３３８に装着されている。
【０１５０】
第２オーバセンタ機構２３６ｂは、以下のように組み立てられる。
【０１５１】
第２第１旋回部材２４２ｂが軸線Ｄ’’’を中心としてクイックヒッチのシャシに対して旋回できるように、第２第１旋回部材２４２ｂは旋回軸３４４に旋回可能に装着されている。第２第１リンク２４０ｂと第２第１旋回部材２４２ｂとが軸線Ｅ’’’を中心として互いに旋回できるように、第２第１リンク２４０ｂの第２端部２６２ｂは旋回軸３５８で第２第１旋回部材２４２ｂの第１アーム２６４に旋回可能に装着されている。第２第１リンク２４０ｂと第２係止部材２３８ｂとが軸線Ｆ’’’を中心として互いに旋回できるように、第２第１リンク２４０ｂの第１端部２６２ａは旋回軸３５６で第２係止部材２３８ｂに旋回可能に装着されている。第２係止部材２３８ｂが軸線Ｇ’’’を中心としてクイックヒッチ２０２のシャシに対して旋回できるように、第２係止部材２３８ｂは旋回軸３４６に旋回可能に装着されている。
【０１５２】
第１オーバセンタ機構２３６ａは、アクチュエータ３６０により第２オーバセンタ機構２３６ｂに連結されている。第１旋回部材２４２ａの第２アーム２５５は、スクリュアクチュエータ３６０の第１端部３６６ａに装着されている。第２第１旋回部材２４２ｂの第３アーム２６７は、スクリュアクチュエータ３６２の第２端部３６６ｂに装着されている。
【０１５３】
前壁３０と側壁１０，１２と底部１４と上面１６とを組み立てることにより、本体４が部分的に構築される。
【０１５４】
第１旋回部材２４２ａの脚部２５３が上面１６の開口部２０に延在し、第１係止部材２３８ａの第１突出部２４８ａが底部１４の孔２８ａに隣接して配置され、第２係止部材２３８ｂの第２突出部２４８ｂが底部１４の孔２８ｂに隣接して配置されるように、部分的に構築された本体４の中に固定手段２０８が載置される。それから、側壁１０，１２と底部１４と上面とに後壁３０が装着されて、本体４が完成される。
【０１５５】
プレート２２の開口部２４が上面１６の開口部２０に対応し、第１旋回部材２４２ａの脚部２５３が上面１６の開口部２０と、ブラシ（不図示）とプレート２２の開口部２４とに延在するように、締結具６０を使用して本体４の上面１６にプレート２２が装着される。
【０１５６】
着脱プレート２６ａは、締結具２７を使用して上方アーム１８ａに装着される。同じようにして、着脱プレート２６ｂは締結具２７を使用して上方アーム１８ｂに装着される。
【０１５７】
道具、例えば図１１，１２，１５，１６に示されているようなショベル１８０を機械（不図示）に装着するためのクイックヒッチ２０２の使用について、これから説明する。
【０１５８】
クイックヒッチ２の後壁３２が機械（不図示）の正面に対向する状態で、クイックヒッチ２が機械（不図示）に固定される。装着手段６ａ，６ｂ，６ｃは、ピン（不図示）により機械（不図示）の相補的装着手段（不図示）に固定される。
【０１５９】
ショベル１８０は、底部１８２と側壁１８４ａ，１８４ｂと後壁１８６とを有する。後壁１８６は、下方リップ１８８と上方リップ１９０と外面１９２とを有する。上方リップ１９０は下面１８９を有する。
【０１６０】
クイックヒッチ２０２の前壁３０がショベル１８０の後壁１８６の外面１９２に隣接するように、クイックヒッチ２０２が（図９から１２に示されているような）非係止位置にある機械と、ショベル１８０とが近接近される。着脱プレート２６ａ，２６ｂが上方リップ１９０の下面１８９との接触状態にあるように、上方アーム１８ａ，１８ｂは上方リップ１９０の下に配置される。孔２８ａ，２８ｂが下方リップ１８８に隣接するように、クイックヒッチの底部１４は下方リップ１８８と並置されている。
【０１６１】
ショベル１８０をクイックヒッチ２０２に係止するため、アクチュエータ３６０が操作されて、第１旋回部材２４２ａの脚部２５３を図９および１０に示された位置から図１３および１４に示された位置まで移動させる。
【０１６２】
こうして、脚部２５３のフック部分２５３ａがピン２４９ｃと当接し、第２アーム２６６がピン４９ａと当接し、アクチュエータ３６０が上向き方向に動かされるように、第１旋回部材２４２ａを時計方向に回転させる。
【０１６３】
第１旋回部材２４２ａの回転は、第１リンク２４０ａを反時計方向に回転させる。
【０１６４】
第１リンク２４０ａの旋回移動は第１係止部材２３８ａを軸線Ｆ’’に対して反時計方向に旋回させ、こうして第１突出部２４８ａを下向きに移動させるとともに底部１４の孔２８ａに延在させる。
【０１６５】
第１突出部２４８ａはショベル１８０の下方リップ１８８と係合して、ショベル１８０をクイックヒッチ２０２に係止する。
【０１６６】
固定手段２０８が係止位置にある時に、第１突出部２４８ａの上向き移動が弾性リンク２４０ａにより制約される。
【０１６７】
アクチュエータ３６０の上向き移動は、第２第１旋回部材２４２ｂの第３アーム２６７を軸線Ａ’’’に対して反時計方向に旋回させ、第２第１旋回部材２４２ｂの第２アーム２６６を軸線Ｄ’’’に対して反時計方向に旋回させ、第２第１旋回部材２４２ｂの第１アーム２６４を軸線Ｅ’’’に対して反時計方向に旋回させる。
【０１６８】
第２第１旋回部材２４２ｂの第２アーム２６６が進む距離は、固定手段２０８が係止位置にある時に第２アーム２６６が当接するピン４９ｂにより制限される。
【０１６９】
第２第１旋回部材２４２ｂの旋回移動により、第２第１リンク２４０ｂの第２端部２６２ｂは軸線Ｅ’’’に対して反時計方向に旋回し、第２第１リンク２４０ｂの第１端部２６２ａは軸線Ｆ’’’に対して時計方向に旋回する。
【０１７０】
第２第１リンク２４０ｂの旋回移動は第２係止部材２３８ｂを軸線Ｆ’’’に対して時計方向に旋回させて、第２突出部２４８ｂを下向きに移動させるとともに底部１４の孔２８ｂに延在させる。
【０１７１】
第２突出部２４８ｂはショベル１８０の下方リップ１８８と係合して、ショベル１８０をクイックヒッチ２に係止する。
【０１７２】
固定手段２０８が係止位置にある時に、第２突出部２４８ｂの上向き移動は弾性リンク２４０ｂにより制約される。
【０１７３】
クイックヒッチ２０２が（図２３に示されているように）ショベル１８０に固定されている時には、第１オーバセンタ機構２３６ａの軸線Ｅ’’は軸線Ｄ’’と軸線Ｆ’’との間に引かれた直線の第１側に位置し、クイックヒッチが（図２４に示されているように）ショベルに固定されていない時には、軸線Ｅ’’は軸線Ｄ’’とＦ’’との間に引かれた直線の第２側に位置している。同様にして（図に示されていないが）、クイックヒッチ２０２がショベル１８０に固定されている時には、第２オーバセンタ機構２３６ｂの軸線Ｅ’’’は軸線Ｄ’’’とＦ’’’との間に引かれた直線の第１側に位置し、クイックヒッチ２０２がショベル１８０に固定されていない時には、軸線Ｅ’’’は軸線Ｄ’’’とＦ’’’との間に引かれた直線の第２側に位置している。
【０１７４】
このようにして、第１および第２突出部２４８ａ，２４８ｂは、係止位置にある時にアクチュエータ３６０への押圧が妨げられる。
【０１７５】
弾性またはバネ付勢の第１リンク２４０ａを固定手段２０８の第１側に、そして第２第１リンク２４０ｂを固定手段２０８の第２側に含めると、第１および第２突出部２４８ａ，２４８ｂの確実な係合を保証し、固定手段２０８を圧縮状態に保って固定手段２０８のがたつきを防止し、その結果、第１および第２突出部２４８ａ，２４８ｂがショベル１８０の下方リップ１８８から解離する。
【０１７６】
バネ３７０を有する中空円筒体３６６に中実のピストンまたはプランジャ３６８を含めると、固定手段２０８が係止位置にある時に第１および第２突出部２４８ａ，２４８ｂの上向き移動をわずか１５ミリメートルに制限する。これは、固定手段２０８が係止位置にある時には常に、アタッチメントの係合を保証する。
【０１７７】
クイックヒッチの本体４の中の（つまりオペレータには見えない）第１旋回手段２４２ａの脚部２５３の位置と比較した、クイックヒッチ２が非係止位置にある時の上面１６の開口部２０とプレート２２の開口部２４での第１旋回手段２４２ａの脚部２５３の位置は、ショベル１８０がクイックヒッチ２０２に固定されているかどうかの指示をオペレータに通知または提供する。
【０１７８】
固定手段を包囲する本体４を設けると、泥や瓦礫による固定手段２０８の損傷を防止する。プレートの開口部２４の中にブラシ（不図示）を設けると、クイックヒッチ２０２の本体４への泥や瓦礫の侵入をさらに防止する。
【０１７９】
ショベル１８０の上方リップ１９０の下面１８９と係合する着脱プレート２６ａ，２６ｂをアーム部分１８ａ，１８ｂに設けると、摩耗して新品の未摩耗プレートと交換される時にプレート２６ａ，２６ｂがクイックヒッチ２から取り外される際に、クイックヒッチ２０２の寿命を延長する。
【０１８０】
上述した実施形態において、クイックヒッチ２，２０２は、固定手段８，２０８とオーバセンタ機構３６ａ，３６ｂ，２３６ａ，２３６ｂと弾性リンク４０ａ，４０ｂ，２４０ａ，２４０ｂとを包囲するための本体４に加えて、摩耗プレート２６ａ，２６ｂを含んでいた。本発明によるクイックヒッチが上述した有利な特徴の何らかの組み合わせを含むことは、当業者には理解されるだろう。
【０１８１】
上述した実施形態において、プレート２２は、クイックヒッチ２，２０２の本体４への泥や瓦礫の侵入を防止するためのブラシ（不図示）を含んでいた。本体への泥や瓦礫の侵入を防止するための適当な手段が採用されうることは、当業者には理解されるだろう。代替的に、開口部２０，２４は実質的に開口したままである。
【０１８２】
本発明は、以下の特徴を有する。
［１］
道具を機械に装着するためのクイックヒッチであって、機械への接続のための少なくとも一つの装着手段と、クイックヒッチを道具に固定するための固定手段とを含むクイックヒッチであり、道具の表面との係合のための少なくとも一つの着脱プレートをさらに含むクイックヒッチ。
［２］
前記少なくとも一つの着脱プレートがクイックヒッチの上面に装着される、上記［１］に記載のクイックヒッチ。
［３］
前記少なくとも一つの着脱可能プレートが少なくとも一つの締結手段によりクイックヒッチの上面に装着される、上記［２］に記載のクイックヒッチ。
［４］
前記少なくとも一つの締結手段がボルトである、上記［３］に記載のクイックヒッチ。
［５］
前記少なくとも一つの着脱プレートが長さを有してクイックヒッチが長さを有し、前記着脱プレートの長さとクイックヒッチの長さの比が１対３より小さい、上記［１］から［４］のいずれかに記載のクイックヒッチ。
［６］
前記少なくとも一つの着脱プレートの長さとクイックヒッチの長さの比が１対６より大きい、上記［５］に記載のクイックヒッチ。
［７］
前記少なくとも一つの着脱プレートが道具のリップの下に嵌着するように構成されている、上記［１］から［６］のいずれかに記載のクイックヒッチ。
［８］
前記少なくとも一つの着脱プレートが、使用時に道具のリップに係合する表面を有する、上記［１］から［７］のいずれかに記載のクイックヒッチ。
［９］
前記少なくとも一つの着脱プレートの前記表面が傾斜している、上記［８］に記載のクイックヒッチ。
［１０］
前記少なくとも一つの着脱プレートが金属材料を含む、上記［１］から［９］のいずれかに記載のクイックヒッチ。
［１１］
前記少なくとも一つの着脱プレートが鋼を含む、上記［１０］に記載のクイックヒッチ。
［１２］
道具の表面との係合のための少なくとも二つの着脱プレートを含む、上記［１］から［１１］のいずれかに記載のクイックヒッチ。
［１３］
道具を機械に装着するためのクイックヒッチであって、筐体を含むクイックヒッチであり、前記筐体が機械への接続のための少なくとも一つの装着手段を含み、前記筐体がクイックヒッチを道具に固定するための固定手段を格納し、前記固定手段が、クイックヒッチが道具に固定されている第１位置と、クイックヒッチが道具に固定されていない第２位置とを有し、前記筐体がさらに、前記固定手段が前記第１位置にある時に前記固定手段の一部分が延在する第１孔を含む、クイックヒッチ。
［１４］
前記固定手段が指示手段を含み、前記指示手段が、前記固定手段が前記第１位置にある時にクイックヒッチが道具に固定されたことを指示するための第１位置と、前記固定手段が前記第２位置にある時にクイックヒッチが道具に固定されていないことを指示するための第２位置とを有し、前記筐体がさらに、前記指示手段の一部分が延在する開口部を含む、上記［１４］に記載のクイックヒッチ。
［１５］
前記指示手段が前記第１位置および／または前記第２位置にある時に前記指示手段の前記部分が前記開口部に延在する、上記［１４］に記載のクイックヒッチ。
［１６］
前記固定手段がアクチュエータを含む、上記［１３］、［１４］、または［１５］に記載のクイックヒッチ。
［１７］
前記指示手段が前記アクチュエータに接続されている、上記［１６］に記載のクイックヒッチ。
［１８］
前記アクチュエータが手動アクチュエータである、上記［１６］または［１７］に記載のクイックヒッチ。
［１９］
前記手動アクチュエータがシングルハンドルを含む、上記［１８］に記載のクイックヒッチ。
［２０］
前記アクチュエータが電動アクチュエータである、上記［１６］または［１７］に記載のクイックヒッチ。
［２１］
前記筐体への泥や瓦礫の侵入を防止するためのカバーを前記開口部が含み、前記指示手段の前記部分が前記開口部に延在する、上記［１４］から［２０］のいずれかに記載のクイックヒッチ。
［２２］
前記カバーが複数のブリスルを含む、上記［２１］に記載のクイックヒッチ。
［２３］
前記カバーが少なくとも一つのブラシを含む、上記［２１］または［２２］に記載のクイックヒッチ。
［２４］
前記少なくとも一つの装着手段が前記筐体の外面に設けられる、上記［１３］から［２３］のいずれかに記載のクイックヒッチ。
［２５］
前記少なくとも一つの装着手段が耳部である、上記［１３］から［２４］のいずれかに記載のクイックヒッチ。
［２６］
前記筐体が、前記固定手段が前記第１位置にある時に前記固定手段の第２部分が延在する第２孔を含む、上記［１３］から［２５］のいずれかに記載のクイックヒッチ。
［２７］
前記筐体が、道具の表面との係合のための少なくとも一つの着脱プレートを含む、上記［１３］から［２６］のいずれかに記載のクイックヒッチ。
［２８］
前記少なくとも一つの着脱プレートが、上記［１］から［１２］のいずれかに規定された着脱プレートである、上記［２７］に記載のクイックヒッチ。
［２９］
実質的には、明細書に、および／または添付図面を参照して記載されたクイックヒッチ。
【符号の説明】
【０１８３】
２  クイックヒッチ
４  本体
６ａ，６ｂ，６ｃ  装着手段
７ａ，７ｂ，７ｃ  耳部
８  固定手段
９ａ，９ｂ，９ｃ  孔
１０，１２  側壁
１４  底部
１６  上面
１８ａ，１８ｂ  アーム
２０  開口部
２２  プレート
２４  開口部
２６ａ，２６ｂ  着脱プレート
２８ａ，２８ｂ  孔
３０  前壁
３２  後壁
３４ａ，３４ｂ  アクセスドア
３６ａ  第１オーバセンタ機構
３６ｂ  第２オーバセンタ機構
３８ａ  第１係止部材
３８ｂ  第２係止部材
４０ａ  第１リンク
４０ｂ  第２第１リンク
４２ａ  第１旋回部材
４２ｂ  第２第１旋回部材
４４ａ  第２リンク
４４ｂ  第２第２リンク
４６  第２旋回手段
４８ａ  第１突出部
４８ｂ  第２突出部
４９ａ  第１ピン
４９ｂ  第２ピン
５０ａ  第１端部
５０ｂ  第２端部
５２  第１アーム
５４  第２アーム
５５  第３アーム
５６ａ  第１端部
５６ｂ  第２端部
５８ａ  第１端部
５８ｂ  第２端部
６２ａ  第１端部
６２ｂ  第２端部
６４  第１アーム
６５ａ  第１端部
６５ｂ  第２端部
６６  第２アーム
６７  第３アーム
６８ａ  第１端部
６８ｂ  第２端部
６９  プレート
１３８，１４０，１４２，１４４，１４６，１４８，１５０，１５２，１５４，１５６，１５８，１６０，１６２  旋回軸
１６４ａ，１６４ｂ，１６４ｃ  穴
１６６  中空円筒体
１６８  ピストン部材
１７０  バネ
１７２  中空円筒体
１７４  ピストン部材
１８０  ショベル
１８２  底部
１８４ａ，１８４ｂ  側壁
１８６  後壁
１８８  下方リップ
１８９  下面
１９０  上方リップ
１９２  外面
２０２  クイックヒッチ
２０８  固定手段
２３６ａ  第１オーバセンタ機構
２３６ｂ  第２オーバセンタ機構
２３８ａ  第１係止部材
２３８ｂ  第２係止部材
２４０ａ  第１リンク
２４０ｂ  第２第１リンク
２４２ａ  第１旋回部材
２４２ｂ  第２第１旋回部材
２４８ａ  第１突出部
２４８ｂ  第２突出部
２４９ｃ  第３ピン
２５０ａ  第１端部
２５０ｂ  第２端部
２５２  第１アーム
２５３  脚部
２５３ａ  フック部分
２５４  第２アーム
２５５  第３アーム
２６２ａ  第１端部
２６２ｂ  第２端部
２６４  第１アーム
２６６  第２アーム
２６７  第３アーム
３４０，３４６，３４８，３５０，３５６，３５８  旋回軸
３６６  中空円筒体
３６８  中実ピストン／プランジャ
３７０  バネ
３７２  中空円筒体
３７４  ピストン部材
【図１】
2017075524.tif 000003
【図２】
2017075524.tif 000004
【図３】
2017075524.tif 000005
【図４】
2017075524.tif 000006
【図５】
2017075524.tif 000007
【図６】
2017075524.tif 000008
【図７】
2017075524.tif 000009
【図８】
2017075524.tif 000010
【図９】
2017075524.tif 000011
【図１０】
2017075524.tif 000012
【図１１】
2017075524.tif 000013
【図１２】
2017075524.tif 000014
【図１３】
2017075524.tif 000015
【図１４】
2017075524.tif 000016
【図１５】
2017075524.tif 000017
【図１６】
2017075524.tif 000018
【図１７】
2017075524.tif 000019
【図１８】
2017075524.tif 000020
【図１９】
2017075524.tif 000021
【図２０】
2017075524.tif 000022
【図２１】
2017075524.tif 000023
【図２２】
2017075524.tif 000024
【図２３】
2017075524.tif 000025
【図２４】
2017075524.tif 000026